(57)【特許請求の範囲】
【請求項１】
ディスク記録媒体に離散的に形成された複数の空き領域に光ピックアップによって音声信号を記録する音声記録装置において、
外部から前記音声信号を連続的に取り込むマイク、
前記マイクによって取り込まれた音声信号をバッファに一時的に書き込む書込み手段、および
前記バッファに格納された前記音声信号を各々の前記空き領域に記録するために前記光ピックアップを移動させる移動手段を備え、
前記書込み手段は前記移動手段によって前記光ピックアップが移動するとき前記音声信号を減衰させる減衰手段を含み、
前記マイクによって取り込まれた前記音声信号のレベルを判別する判別手段をさらに備え、
前記減衰手段は前記判別手段の判別結果に応じて前記音声信号を減衰させ、
前記判別手段は、前記音声信号のレベルを所定期間おきに第１閾値と比較する比較手段、および前記音声信号のレベルが連続して前記第１閾値以下となるレベル低下時間を計測する計測手段を含み、
前記減衰手段は前記レベル低下時間が第２閾値を超えたとき前記音声信号を減衰させることを特徴とする、音声記録装置。
【請求項２】
ディスク記録媒体に離散的に形成された複数の空き領域に光ピックアップによって音声信号を記録する音声記録装置において、
外部から前記音声信号を連続的に取り込むマイク、
前記マイクによって取り込まれた音声信号をバッファに一時的に書き込む書込み手段、および
前記バッファに格納された前記音声信号を各々の前記空き領域に記録するために前記光ピックアップを移動させる移動手段を備え、
前記書込み手段は前記移動手段によって前記光ピックアップが移動するとき前記音声信号を減衰させる減衰手段を含み、
前記マイクによって取り込まれた前記音声信号のレベルを判別する判別手段をさらに備え、
前記減衰手段は前記判別手段の判別結果に応じて前記音声信号を減衰させ、
前記判別手段は所定期間分の前記音声信号の平均レベルを繰り返し算出し、
前記減衰手段は前記平均レベルが第３閾値以下となったとき前記音声信号を減衰させることを特徴とする、音声記録装置。
【請求項３】
ディスク記録媒体に離散的に形成された複数の空き領域に光ピックアップによって音声信号を記録する音声記録装置において、
外部から前記音声信号を連続的に取り込むマイク、
前記マイクによって取り込まれた音声信号をバッファに一時的に書き込む書込み手段、および
前記バッファに格納された前記音声信号を各々の前記空き領域に記録するために前記光ピックアップを移動させる移動手段を備え、
前記書込み手段は前記移動手段によって前記光ピックアップが移動するとき前記音声信号を減衰させる減衰手段を含み、
前記減衰手段は、周波数に関係なく前記音声信号を減衰させる第１減衰手段、および所定周波数帯域の前記音声信号を減衰させる第２減衰手段の少なくとも一方を含み、
前記第１減衰手段の減衰率は前記音声信号のレベルに応じて異なることを特徴とする、音声記録装置。
【請求項４】
ディスク記録媒体に離散的に形成された複数の空き領域に光ピックアップによって音声信号を記録する音声記録装置において、
外部から前記音声信号を連続的に取り込むマイク、
前記マイクによって取り込まれた音声信号をバッファに一時的に書き込む書込み手段、および
前記バッファに格納された前記音声信号を各々の前記空き領域に記録するために前記光ピックアップを移動させる移動手段を備え、
前記書込み手段は前記移動手段によって前記光ピックアップが移動するとき前記音声信号を減衰させる減衰手段を含み、
前記減衰手段は、周波数に関係なく前記音声信号を減衰させる第１減衰手段、および所定周波数帯域の前記音声信号を減衰させる第２減衰手段の少なくとも一方を含み、
前記第２減衰手段が減衰させる周波数帯域は前記音声信号のレベルに応じて異なることを特徴とする、音声記録装置。
【請求項５】
ディスク記録媒体に離散的に形成された複数の空き領域に光ピックアップによって音声信号を記録する音声記録装置において、
外部から前記音声信号を連続的に取り込むマイク、
前記マイクによって取り込まれた音声信号をバッファに一時的に書き込む書込み手段、および
前記バッファに格納された前記音声信号を各々の前記空き領域に記録するために前記光ピックアップを移動させる移動手段を備え、
前記書込み手段は前記移動手段によって前記光ピックアップが移動するとき前記音声信号を減衰させる減衰手段を含み、
前記減衰手段は、周波数に関係なく前記音声信号を減衰させる第１減衰手段、および所定周波数帯域の前記音声信号を減衰させる第２減衰手段の少なくとも一方を含み、
前記判別手段は、前記音声信号のレベルを所定期間おきに第１閾値と比較する比較手段、および前記音声信号のレベルが連続して前記第１閾値以下となるレベル低下時間を計測する計測手段を含み、
前記減衰手段は前記レベル低下時間が第２閾値を超えたとき前記音声信号を減衰させることを特徴とする、音声記録装置。
【請求項６】
ディスク記録媒体に離散的に形成された複数の空き領域に光ピックアップによって音声信号を記録する音声記録装置において、
外部から前記音声信号を連続的に取り込むマイク、
前記マイクによって取り込まれた音声信号をバッファに一時的に書き込む書込み手段、および
前記バッファに格納された前記音声信号を各々の前記空き領域に記録するために前記光ピックアップを移動させる移動手段を備え、
前記書込み手段は前記移動手段によって前記光ピックアップが移動するとき前記音声信号を減衰させる減衰手段を含み、
前記減衰手段は、周波数に関係なく前記音声信号を減衰させる第１減衰手段、および所定周波数帯域の前記音声信号を減衰させる第２減衰手段の少なくとも一方を含み、
前記判別手段は所定期間分の前記音声信号の平均レベルを繰り返し算出し、
前記減衰手段は前記平均レベルが第３閾値以下となったとき前記音声信号を減衰させることを特徴とする、音声記録装置。
【請求項７】
前記マイクによって取り込まれた前記音声信号のレベルを判別する判別手段をさらに備え、
前記減衰手段は前記判別手段の判別結果に応じて前記音声信号を減衰させる、請求項３ないし６のいずれかに記載の音声記録装置。
【請求項８】
前記所定周波数帯域は前記光ピックアップの移動に起因する雑音の周波数帯域を含む、請求項３ないし７のいずれかに記載の音声記録装置。
【発明の詳細な説明】
【０００１】
【産業上の利用分野】
この発明は、音声記録装置に関し、特にたとえば、ディスク記録媒体に離散的に分布した複数の記録領域の各々に音声信号を光ピックアップによって記録する、音声記録装置に関する。
【０００２】
【従来の技術】
この種のディスク装置では、ディスク記録媒体から所定の信号を読み出し、もしくは所定の信号を書き込むときには、図１６に示すように光磁気ディスク３４上に離散的に分布する記録領域▲１▼〜▲７▼にアクセスする。記録領域にアクセスするときには、シーク動作によって光ピックアップが光磁気ディスク３４の径方向に移動されて目的の記録領域が存在するトラックに到達する。このシーク動作により光ピックアップが移動するときにはトラッキングサーボがオフ状態で、フォーカスサーボがオン状態となっている。
【０００３】
トラッキングサーボおよびフォーカスサーボを制御するトラッキング誤差信号（以下、「ＴＥ信号」と表記）およびフォーカス誤差信号（以下、「ＦＥ信号」と表記）は図１７（Ａ）に示すように、光磁気ディスク３６の表面に設けられたランドトラック（図１７（Ａ）におけるＬ）もしくはグルーブトラック（図１７（Ａ）におけるＧ）に照射した３つのレーザ光４６ａ、４６ｂ、４６ｃの反射光に基づいて生成される。光磁気ディスク３６の表面で反射したレーザ光は光ピックアップの内部に設けられた図１７（Ｂ）に示すような複数の受光素子４８ａ〜４８ｈを備える光検出器４８で受光され光電変換される。
【０００４】
レーザ光４６ｂは、レーザ光Ａ，レーザ光Ｂ，レーザ光Ｃおよびレーザ光Ｄの４つに分割されて光磁気ディスク３６の表面に照射され、各レーザ光の反射光はＡ〜Ｄのアルファベットの対応する受光素子４８ａ，４８ｂ，４８ｃおよび４８ｄによってそれぞれ受光される。
【０００５】
同様に、レーザ光４６ａおよびレーザ光４６ｃは、レーザ光ＥおよびＦ、レーザ光ＧおよびＨの２つずつにそれぞれ分割され、各レーザ光の反射光はＥ〜Ｈのアルファベットの対応する受光素子４８ｅ，４８ｆ，４８ｇ，４８ｈによってそれぞれ受光される。
【０００６】
受光素子４８ａ〜４８ｈからの出力をそれぞれアルファベットＡ〜Ｈで表すと、ＴＥおよびＦＥはそれぞれ、数１，数２に基づく演算によって算出される。
【０００７】
【数１】
ＴＥ＝｛（Ａ＋Ｂ）―（Ｃ＋Ｄ）｝―α｛（Ｅ＋Ｈ）―（Ｆ＋Ｇ）｝
ただし、α≒２である。
【０００８】
【数２】
ＦＥ＝（Ａ＋Ｃ）―（Ｂ＋Ｄ）
【０００９】
【発明が解決しようとする課題】
シーク動作時には光ピックアップが複数のランドトラックおよびグルーブトラックをトラックの幅方向に超える。ランドトラックおよびグルーブトラックは反射率が異なるため、レーザ光４６ｂの反射光が受光素子４８ａ，４８ｂ，４８ｃおよび４８ｄに形成するスポットには明暗が発生する。この明暗は光ピックアップの移動にしたがって図１８（Ａ）〜（Ｂ）に示すように変化する。図１８（Ａ）〜（Ｂ）の各図に斜線を施した部分が明暗のうち暗の部分である（図１９において同じ）。
【００１０】
図１８に示すようにスポットの形状が真円で、かつスポットの中心が受光素子４８ａ，４８ｂ，４８ｃおよび４８ｄの中心に一致しているのは理想的な状態である。このようにスポットが理想的であるとシーク動作時のＦＥ信号の値は常に０となる。
【００１１】
しかし、ピックアップ光学系の組み立て誤差などにより、光磁気ディスク３６上でのビームスポットが理想的に絞られた状態でもセンサ（受光素子４８ａ，４８ｂ，４８ｃおよび４８ｄ）上の光分布などが理想状態とはならない場合がある。この場合には図１８に示したシーク動作時におけるレーザ光のスポットの明暗がフォーカス検出（フォーカス誤差信号）にも影響し、フォーカス誤差信号が常には「０」とならない。
【００１２】
実際のディスク装置におけるレーザ光のスポットは図１９に示すように、楕円形であり、その中心はセンサ（受光素子４８ａ，４８ｂ，４８ｃおよび４８ｄ）の中心からずれている。スポットの形状は図１９（Ａ）〜（Ｂ）に示すように変化するので、数２における（Ａ＋Ｃ）と（Ｂ＋Ｄ）との値が等しくならない。したがって、シーク動作時のＦＥ信号には「０」でない信号波形が現れる。また、スポットの中心がずれているため、（Ａ＋Ｂ）と（Ｂ＋Ｄ）との値の差がさらに大きくなり、ＦＥ信号に現れる信号波形もさらに大きくなる。
【００１３】
したがって、実際のディスク装置においては、シーク動作時のＦＥ信号には本来生じるべきでない信号波形が含まれる。ＦＥ信号に含まれる本来生じるべきでないこの信号波形は「ＴＥ漏れ込み信号」と呼ばれる。このようにＦＥ信号にＴＥ漏れ込み信号が含まれていると、ＦＥ信号に基づくフォーカスサーボによって光ピックアップが上下に大きく振動して騒音が発生する。
【００１４】
また、光ピックアップはラックピニオン状態などによってスレッドモータと連結されている。シーク動作時にはスレッドモータの回転がラックピニオン状態に伝わることによって光ピックアップが光磁気磁気ディスク３６の径方向（内周方向および外周方向）に移動される（スレッド移動）。したがって、シーク動作時には光ピックアップの振動による騒音だけでなく、スレッドモータの回転およびラックピニオン状態の動作による騒音も発生する。
【００１５】
そのため、従来の音声記録装置ではスレッド動作時に発生する騒音が音声の録音時にマイクに騒音が拾われ、本来記録したい音声信号にノイズが混じるという問題があった。
【００１６】
この問題を解消するために騒音源から発生する振動がマイクに直接的に伝わることを遮断する方法を採用する音声記録装置が存在した。騒音源とマイクとを遮断する方法としては、マイクをゴム，スポンジなどの緩衝材を介して音声記録装置の筐体に取り付ける方法などが存在する。
【００１７】
【発明が解決しようとする課題】
しかし、従来の音声記録装置のように緩衝材を介してマイクを音声記録装置の筐体に取り付ける方法では、マイクに振動が伝わることによる騒音を防止することはできたが、騒音源から発生する騒音がマイクに拾われることによって発生する雑音を除去することはできなかった。
【００１８】
それゆえに、この発明の主たる目的は、マイクに拾われるシーク騒音の記録音声信号に対する影響を低減できる、音声記録装置を提供することである。
【００１９】
【課題を解決するための手段】
請求項１の発明に従う音声記録装置は、ディスク記録媒体に離散的に形成された複数の空き領域に光ピックアップによって音声信号を記録する音声記録装置において、外部から音声信号を連続的に取り込むマイク、マイクによって取り込まれた音声信号をバッファに一時的に書き込む書込み手段、およびバッファに格納された音声信号を各々の空き領域に記録するために光ピックアップを移動させる移動手段を備え、書込み手段は移動手段によって光ピックアップが移動するとき音声信号を減衰させる減衰手段を含み、マイクによって取り込まれた音声信号のレベルを判別する判別手段をさらに備え、減衰手段は判別手段の判別結果に応じて音声信号を減衰させ、判別手段は、音声信号のレベルを所定期間おきに第１閾値と比較する比較手段、および音声信号のレベルが連続して第１閾値以下となるレベル低下時間を計測する計測手段を含み、減衰手段はレベル低下時間が第２閾値を超えたとき音声信号を減衰させることを特徴とする。
請求項２の発明に従う音声記録装置は、ディスク記録媒体に離散的に形成された複数の空き領域に光ピックアップによって音声信号を記録する音声記録装置において、外部から音声信号を連続的に取り込むマイク、マイクによって取り込まれた音声信号をバッファに一時的に書き込む書込み手段、およびバッファに格納された音声信号を各々の空き領域に記録するために光ピックアップを移動させる移動手段を備え、書込み手段は移動手段によって光ピックアップが移動するとき音声信号を減衰させる減衰手段を含み、マイクによって取り込まれた音声信号のレベルを判別する判別手段をさらに備え、減衰手段は判別手段の判別結果に応じて音声信号を減衰させ、判別手段は所定期間分の音声信号の平均レベルを繰り返し算出し、減衰手段は平均レベルが第３閾値以下となったとき音声信号を減衰させることを特徴とする。
請求項３の発明に従う音声記録装置は、ディスク記録媒体に離散的に形成された複数の空き領域に光ピックアップによって音声信号を記録する音声記録装置において、外部から音声信号を連続的に取り込むマイク、マイクによって取り込まれた音声信号をバッファに一時的に書き込む書込み手段、およびバッファに格納された音声信号を各々の空き領域に記録するために光ピックアップを移動させる移動手段を備え、書込み手段は移動手段によって光ピックアップが移動するとき音声信号を減衰させる減衰手段を含み、減衰手段は、周波数に関係なく音声信号を減衰させる第１減衰手段、および所定周波数帯域の音声信号を減衰させる第２減衰手段の少なくとも一方を含み、第１減衰手段の減衰率は音声信号のレベルに応じて異なることを特徴とする。
請求項４の発明に従う音声記録装置は、ディスク記録媒体に離散的に形成された複数の空き領域に光ピックアップによって音声信号を記録する音声記録装置において、外部から音声信号を連続的に取り込むマイク、マイクによって取り込まれた音声信号をバッファに一時的に書き込む書込み手段、およびバッファに格納された音声信号を各々の空き領域に記録するために光ピックアップを移動させる移動手段を備え、書込み手段は移動手段によって光ピックアップが移動するとき音声信号を減衰させる減衰手段を含み、減衰手段は、周波数に関係なく音声信号を減衰させる第１減衰手段、および所定周波数帯域の音声信号を減衰させる第２減衰手段の少なくとも一方を含み、第２減衰手段が減衰させる周波数帯域は音声信号のレベルに応じて異なることを特徴とする。
請求項５の発明に従う音声記録装置は、ディスク記録媒体に離散的に形成された複数の空き領域に光ピックアップによって音声信号を記録する音声記録装置において、外部から音声信号を連続的に取り込むマイク、マイクによって取り込まれた音声信号をバッファに一時的に書き込む書込み手段、およびバッファに格納された音声信号を各々の空き領域に記録するために光ピックアップを移動させる移動手段を備え、書込み手段は移動手段によって光ピックアップが移動するとき音声信号を減衰させる減衰手段を含み、減衰手段は、周波数に関係なく音声信号を減衰させる第１減衰手段、および所定周波数帯域の音声信号を減衰させる第２減衰手段の少なくとも一方を含み、判別手段は、音声信号のレベルを所定期間おきに第１閾値と比較する比較手段、および音声信号のレベルが連続して第１閾値以下となるレベル低下時間を計測する計測手段を含み、減衰手段はレベル低下時間が第２閾値を超えたとき音声信号を減衰させることを特徴とする。
請求項６の発明に従う音声記録装置は、ディスク記録媒体に離散的に形成された複数の空き領域に光ピックアップによって音声信号を記録する音声記録装置において、外部から音声信号を連続的に取り込むマイク、マイクによって取り込まれた音声信号をバッファに一時的に書き込む書込み手段、およびバッファに格納された音声信号を各々の空き領域に記録するために光ピックアップを移動させる移動手段を備え、書込み手段は移動手段によって光ピックアップが移動するとき音声信号を減衰させる減衰手段を含み、減衰手段は、周波数に関係なく音声信号を減衰させる第１減衰手段、および所定周波数帯域の音声信号を減衰させる第２減衰手段の少なくとも一方を含み、判別手段は所定期間分の音声信号の平均レベルを繰り返し算出し、減衰手段は平均レベルが第３閾値以下となったとき音声信号を減衰させることを特徴とする。
【００２０】
【作用】
この発明においては、ディスク記録媒体に記録される音声信号のシーク騒音を含む部分の信号レベルが減衰される。つまり、マイクは外部から音声信号を連続的に取り込み、書き込み手段はマイクによって取り込まれた音声信号をバッファに一時的に書き込む。移動手段はバッファに格納された音声信号を各々の空き領域に記録するために光ピックアップを移動させ、減衰手段は移動手段によって光ピックアップが移動するときに音声信号の信号レベルを減衰させる。したがって、光ピックアップの移動時には、音声信号が減衰される。
【００２１】
この発明の好ましい実施例では、光ピックアップの移動および音声信号のレベルに基づいて音声信号の減衰を行うか否かが判断される。つまり、判別手段はマイクによって取り込まれた音声信号のレベルを判別し、前記減衰手段は前記判別手段の判別結果も応じて音声信号を減衰させる。
【００２２】
この発明の他の好ましい実施例では、第１および第２の方法のどちらかによって音声信号の信号レベルが減衰される。つまり、第１減衰手段は第１の方法として音声信号の周波数とは無関係に音声信号の信号レベルを減衰させ、第２減衰手段は第２の方法として音声信号の所定の周波数帯域のみを減衰させる。
【００２３】
また、第１減衰手段による減衰率は音声信号の信号レベルに応じて変更するとよい。さらに、所定の周波数帯域には光ピックアップの移動に起因して発生する雑音の周波数帯域を含むようにすることが望ましく、減衰させる周波数帯域は音声信号の信号レベルに応じて変更することが望ましい。
【００２４】
この発明の別の局面では、音声信号から取得した所定期間の信号に基づいて音声信号の信号レベルを減衰するか否かが決定される。つまり、比較手段は音声信号の信号レベルを所定の期間沖に第１閾値と比較し、計測手段は音声信号の信号レベルが連続して第１閾値以下となるレベル低下時間を計測する。そして減衰手段は音声信号のレベル低下時間が第２閾値をこえるときに音声信号を減衰させる。
【００２５】
この発明のさらに別の局面では、音声信号から取得した所定期間の信号の平均レベルに基づいて音声信号の信号レベルを減衰するか否かが決定される。つまり、判別手段音声信号の所定期間分の平均レベルを繰り返し算出し、減衰手段は前記平均レベルが第３閾値以下となったときに音声信号を減衰させる。
【００２６】
【発明の効果】
この発明によれば、シーク動作時の音声信号の信号レベルを減衰させてディスク記録媒体に記録する。したがって、シーク騒音のディスク記録媒体に記録される音声信号に対する影響を低減することができる。
【００２７】
この発明の上述の目的，その他の目的，特徴および利点は、図面を参照して行う以下の実施例の詳細な説明から一層明らかとなろう。
【００２８】
【実施例】
［実施例１］
図１を参照して、この実施例ではディジタルカメラ１０が音声記録装置を構成する。このディジタルカメラ１０は、フォーカスレンズ１２およびマイク３０を含む。フォーカスレンズ１２を経た被写体の光像はＣＣＤイメージャ１４の受光面に入射される。受光面では、入射された光像に対応するカメラ信号（映像信号）が光電変換によって生成される。
【００２９】
タイミングジェネレータ（ＴＧ）２４は、システムコントローラ２６から処理命令が与えられたとき、ＣＣＤイメージャ１４から所定のフレームレートでカメラ信号を繰り返し読み出す。読み出されたカメラ信号は、ＣＤＳ／ＡＧＣ回路１６における周知のノイズ除去およびレベル調整を経て、Ａ／Ｄ変換器１８でディジタル信号に変換される。
【００３０】
一方、音声信号処理回路３２は、システムコントローラ２６から処理命令が与えられたとき、マイク３０から音声信号を取得する。取得された音声信号は後述する所定の信号処理を経て、Ａ／Ｄ変換器３４でディジタル信号に変換される。
【００３１】
音声信号回路３２は具体的には、図２（Ａ）に示すように構成されている。マイク３０から出力される音声信号は、信号処理回路６６による周知の信号処理を経て、直接的におよびアンプ６８を経てスイッチ７０に与えられる。スイッチ７０は後述のマイコン（Digital Signal Processor）５６から与えられる制御信号に応じて、信号処理回路６６から与えられる信号（以下、「通常信号」と呼ぶ）もしくはアンプ６８から与えられる信号（以下、「修正信号」と呼ぶ）を切り替えてＡ／Ｄ変換器３４に出力する。アンプ６８は信号処理回路６６から与えられる音声信号を係数ｋ倍に増幅して出力する。ここで係数ｋは、１よりも小さな値であり、好ましくは１／２〜１／１０の範囲の値である。したがって、アンプ６８はアッテネータ（減衰器）として働く。
【００３２】
Ａ／Ｄ変換器１８およびＡ／Ｄ変換器３４によってディジタル信号に変換された記録信号は記録信号作成回路２０にそれぞれ入力される。入力されたカメラ信号および音声信号（以下、「記録信号」と呼ぶ）は、所定の信号処理が施された記録信号としてバッファメモリ２２に出力される。バッファメモリ２２に蓄積された記録信号は、ディスク駆動系を制御するマイコン（Digital Signal Processor）５６によって適宜読み出される。
【００３３】
システムコントローラ２６は、シャッタボタン２８ｂからのシャッタ信号を受けてタイミングジェネレータ（ＴＧ）２４および音声信号処理回路３２に処理命令を与える。シャッタ信号はシステムコントローラ２６によってマイコン５６にも与えられる。
【００３４】
ディスク駆動系は、光ピックアップ４２を含む。光ピックアップ４２は光学レンズ（対物レンズ）５０を含み、対物レンズ５０はアクチュエータ４４によって支持される。アクチュエータ４４にはトラッキングアクチュエータおよびフォーカスアクチュエータが含まれている。レーザダイオード４６から出力されたレーザ光が対物レンズ５０によって収束され、ＡＳＭＯ（Advanced Storage Magneto Optical）ディスクのような光磁気ディスク（ＭＯディスク）３６の記録面に照射される。このことにより、所望の信号が光磁気ディスク３６の記録面に記録され、また所望の信号が記録面から読み出される。
【００３５】
なお、光磁気ディスク３６は、ランドトラックおよびグルーブトラックに記録可能なディスクである。また、光ピックアップ４２は、たとえばラックピニオン状態４０によってスレッドモータ３８に連結されており、その位置が光磁気ディスク３６の径方向（外周方向および内周方向）に移動される（シーク動作）。
【００３６】
光磁気ディスク３６の記録面で反射したレーザ光の反射光は、同じ対物レンズ５０を通過して光検出器４８に照射される。光検出器４８の出力は、ＦＥ信号検出回路５２およびＴＥ信号検出回路５４に入力され、ＦＥ信号検出回路５２ではフォーカス誤差信号（ＦＥ信号）、ＴＥ信号検出回路５４ではトラッキング誤差信号（ＴＥ信号）がそれぞれ検出される。検出されたＦＥ信号およびＴＥ信号はマイコン５６に設けられたＡ／Ｄ変換器（図示せず）を介してマイコン５６のコア（図示せず）にそれぞれ与えられる。
【００３７】
光検出器４８は具体的には、図１７（Ｂ）に示すように構成されている。光検出器４８は、中央に設けられた４つの領域Ａ〜Ｄおよびその上下に設けられた領域Ｆ，Ｅおよび領域Ｇ，Ｈを有し、各領域Ａ〜Ｈは光検出素子４８ａ〜４８ｈによって形成される。レーザダイオード４６から発せられるレーザ光は、図示しない回折格子で回折され、３つのレーザ光４６ａ，４６ｂ，４６ｃが対物レンズ５０を通して光磁気ディスク３６の記録面に照射される。つまり、図１７（Ａ）に示すように、光磁気ディスク３６の回転方向（タンジェンシャル方向）に対し、領域Ａ〜Ｄに対応するレーザ光４６ｂを中心にして、その左右に領域ＥおよびＦに対応するレーザ光４６ａおよび領域ＧおよびＨに対応するレーザ光４６ｃが照射される。なお、領域Ａ〜Ｄに対応するレーザ光４６ｂがメインビームであり、領域Ｅ，Ｆおよび領域Ｇ，Ｈに対応するレーザ光４６ａおよびレーザ光４６ｃがサブビームである。また、再生信号（記録信号）およびＦＥ信号は、メインビームから取り出される。また、ＴＥ信号はメインビームおよびサブビームから取り出される。
【００３８】
メインビームおよびサブビームから取り出されたＦＥ信号およびＴＥ信号は、上述したようにそれぞれマイコン５６に与えられる。マイコン５６では、与えられたＦＥ信号およびＴＥ信号に所定の処理が施され、ＦＥ信号からはフォーカスアクチュエータ制御信号を、ＴＥ信号からはトラッキングアクチュエータ制御信号およびスレッド制御信号が生成される。生成された各制御信号は、マイコン５６が備えるＤ／Ａ変換器（図示せず）によってアナログ変換され、フォーカスアクチュエータ制御信号，トラッキングアクチュエータ制御信号およびスレッド制御信号が、フォーカスアクチュエータ（FACT）駆動回路６０，フォーカスアクチュエータ（TACT）駆動回路６２およびスレッド（SLED）駆動回路６４にそれぞれ与えられる。
【００３９】
フォーカスアクチュエータ駆動回路６０は、アクチュエータ４４の位置を光磁気ディスク３６の軸方向に移動させて対物レンズ５０のフォーカスを調整する。トラッキングアクチュエータ駆動回路６２は、アクチュエータ４４の位置を光磁気ディスク３６の径方向（タンジェンシャル方向）に移動させて対物レンズ５０をランドトラックもしくはグルーブトラックに追従させる。
【００４０】
ここで、フォーカスアクチュエータ制御信号はＦＥ信号に基づいて生成されるが、上述したようにシーク動作時のＦＥ信号にはＴＥ漏れ込み信号が含まれている。このＴＥ漏れ込み信号のために、シーク動作時のＦＥ信号の振幅は本来あるべき振幅よりも大きくなっている。このためシーク動作時に生成されるフォーカスアクチュエータ制御信号は、光ピックアップ４２の光磁気ディスク３６の軸方向に対する位置を本来必要な以上にフォーカス動作させる信号となる。シーク動作時の必要以上のフォーカス運動により光ピックアップ４２が大きく振動して騒音が発生する。
【００４１】
また、スレッド駆動回路６４は光ピックアップ４２とラックピニオン状態４０によって連結されているスレッドモータ３８を駆動して光ピックアップ４２の位置を光磁気ディスク３６の径方向（タンジェンシャル方向）に移動させる（シーク動作）。
【００４２】
上述したように、光ピックアップ４２のシーク動作時には、ＦＥ信号に含まれるＴＥ漏れ込み信号に起因する光ピックアップ４２の振動や、スレッド機構の動作によって騒音が発生する。
【００４３】
この実施例のディジタルカメラ１０では、マイク３０から出力される音声信号の信号レベルを減衰させることにより、音声信号に含まれるシーク動作時の騒音の本来記録するべき音声信号に対する影響を軽減する。
【００４４】
この実施例のディジタルカメラ１０のマイコン５６は、図４および図５のフロー図に示す手順の処理を実行する。なお、図４および図５のフロー図はディジタルカメラ１０において記録信号を光磁気ディスク３６に記録するときの処理を示している。
【００４５】
ディジタルカメラ１０の電源（図示せず）が投入されると、システムコントローラ２６からマイコン５６に起動信号が与えられる。マイコン５６は起動信号を受け取ると、まずステップＳ１でフォーカスアクチュエータ（FACT）駆動回路６０をオン状態にし、ステップＳ３で、トラッキングアクチュエータ（TACT）駆動回路６２をオン状態にする。
【００４６】
ステップＳ５ではディスク駆動系が記録モードであるかどうかを判断する。ディジタルカメラ１０のオペレータがモード切替ボタン２８ａを記録モードに設定すると、記録モードへのモード切り替え信号がシステムコントローラ２６からマイコン５６に与えられ、ディスク駆動系が記録モードに移行する。ディスク駆動系が記録モードに移行するとステップＳ５で記録モードであると判断される。
【００４７】
ステップＳ７では、光磁気ディスク３６からＴＯＣ（Table of Contents）を読み出して図１３に示すような空き領域テーブルをＤＲＡＭ（Dynamic random access memory）５８に作成する。この空き領域テーブルは、図１６に示した光磁気ディスク３６の空き領域▲１▼〜▲７▼に対応しており、各空き領域の先頭アドレスおよび記録容量が保持されている。
【００４８】
記録モードにおいてオペレータがシャッタボタン２８ｂを押し下げると、シャッタ信号がシステムコントローラ２６を介してマイコン５６に与えられる。シャッタ信号がマイコン５６に与えられるとステップＳ９でシャッタボタン２８ｂがオン状態であると判断される。シャッタボタン２８ｂがオン状態であると判断されるとステップＳ１１で、マイコン５６は切替制御信号を音声信号処理回路３２に含まれるスイッチ７０（図２（Ａ）参照）に与え、音声信号処理回路３２から出力される音声信号を通常信号に設定する。
【００４９】
つぎに、マイコン５６はステップＳ１３でバッファメモリ２２が空であるかどうか、つまり記録すべきデータ（以下、「記録データ」と呼ぶ）がバッファメモリ２２内にいまだ存在するかどうかを判断する。バッファメモリ２２内にデータが存在しないことが、データ記録の終了条件となる。バッファメモリ２２に記録すべきデータ（記録データ）が存在すると判断すると、ステップＳ１７で、データを記録する空き領域をＤＲＡＭ５８に記録された空き領域テーブル（図１３参照）に基づいて決定する。空き領域を決定する方法としては、空き容量の大きい空き領域から選択する方法などが考えられる。
【００５０】
ステップＳ１９ではバッファメモリ２２に蓄積されているデータ量が所定の閾値以下であるかどうかを判断する。ここで、所定の閾値は、たとえばバッファメモリ２２へのデータの蓄積速度，データを記録する空き領域の容量，書込み速度などに基づいて、バッファメモリ２２のデータ溢れもしくは枯渇が起こらないように決定される値である。
【００５１】
バッファメモリ２２に蓄積されたデータ量が閾値以上であると判断すると、ステップＳ２３でトラッキングアクチュエータ駆動回路６２をオフ状態にする。そして、ステップＳ２５でスレッド駆動回路６４をオン状態にして、空き領域（ステップＳ１７で決定）が存在するトラックに向けて光ピックアップ４２をスレッドさせる（シーク動作）。
【００５２】
そして、ステップＳ２７においてマイコン５６は、切替制御信号を音声信号処理回路３２のスイッチ７０に与え、音声信号処理回路３２から出力される音声信号をアンプ６８によって係数ｋ倍に減衰された音声信号（以下、「修正信号」と呼ぶ）に切り替える。したがって、音声信号処理回路３２からは、信号レベルが減衰された音声信号が出力される。
【００５３】
ステップＳ２９では光ピックアップ４２が目標トラックに到達したかどうかを判断する。到達したと判断するとステップＳ３１でスレッド（ＳＬＥＤ）駆動回路６４をオフ状態にしてシーク動作を終了させ、ステップＳ３３でトラッキングアクチュエータ駆動回路６２をオン状態にする。
【００５４】
さらに、ステップＳ３５でマイコン５６は切替制御信号を音声信号処理回路３２のスイッチ７０に与え、音声信号処理回路３２から出力される信号を信号処理回路６６から出力される音声信号（以下、「通常信号」と呼ぶ）に切り替える。
【００５５】
そして、ステップＳ３７でマイコン５６はバッファメモリ２２から記録領域（ステップＳ１７で決定）の空き容量に相当する記録信号を取得して空き領域に記録する。当該空き領域への記録が終了すると、ＤＲＡＭ５８に記録された空き領域テーブル（図１３参照）をステップＳ３９で更新する。
【００５６】
空き領域テーブルの更新が終了すると、ステップＳ１３に戻って再びバッファメモリ２２が空であるかどうかを判断する。バッファメモリ２２に記録データが残っているときには、ステップＳ１７で再び空き領域を決定し、ステップＳ１９からステップＳ３７の処理を繰り返して残りの記録データの記録を行う。
【００５７】
なお、ステップＳ１９でバッファメモリ２２に蓄積されている記録データの量が閾値より少ないと判断すると、ステップＳ２１でシャッタボタン２８ｂがオフ状態であるかどうかを判断する。シャッタボタン２８ｂがオン状態であるときには、ステップＳ１９に戻って再び記録データの量が閾値以上であるかどうかを判断する。一方、シャッタボタン２８ｂがオフ状態であるときには、これ以上バッファメモリ２２に記録データが蓄積されることはないのでステップＳ２３以降に進んでバッファメモリ２２に残っている記録データの書込みを行う。
【００５８】
そして、記録データが記録されるとステップＳ１３でバッファメモリ２２が空であると判断し、ＤＲＡＭ５８に記録されている空き領域テーブルに基づく光磁気ディスク３６のＴＯＣの更新をステップＳ１５で行い、ステップＳ５に戻ってデータの記録処理を終了する。
【００５９】
この実施例のディジタルカメラ１０では光磁気ディスク３６に記録信号を記録するシーク動作時に音声信号の信号レベルを減衰させることにより、音声信号のシーク動作時の騒音を含む部分の信号レベルが低下される。したがって、光磁気ディスク３６に記録される音声信号に含まれるシーク騒音が目立たなくなる。
【００６０】
［実施例２］
実施例２のディジタルカメラ１０では、シーク動作時に音声信号の信号レベルを低下させるだけでなく、フィルタ回路を用いて音声信号の周波数帯域のうち、シーク騒音の周波数を多く含む周波数帯域以外の周波数帯域のみを通過させる。
【００６１】
実施例２のディジタルカメラ１０の構成は、音声信号処理回路３２の構成のみが実施例１（図１）のディジタルカメラ１０と異なっており、その他の構成および動作は同様であるため、音声信号処理回路３２の構成についてのみ説明する。
【００６２】
音声信号処理回路３２は、具体的には図２（Ｂ）に示すように構成される。マイク３０から出力された音声信号は信号処理回路６６による周知の信号処理を経て、アンプ６８およびスイッチ７０にそれぞれ与えられる。アンプ６８は与えられた音声信号を係数ｋ倍に増幅してフィルタ回路７２に与える。ここで、係数ｋの値は、１以下の値である。したがって、アンプ６８はアッテネータ（減衰器）として働く。なお、係数ｋの値が１のときには修正信号はマイク３０から出力される音声信号にフィルタ回路７２によるフィルタ効果のみが付加された信号となる。
【００６３】
フィルタ回路７２は低域通過フィルタ（ＬＰＦ）であり、シーク騒音の周波数を多く含む周波数帯域以下の周波数のみを通過させ、スイッチ７０に与える。シーク騒音の周波数は６ｋＨｚ〜７ｋＨｚであり、フィルタ回路（ＬＰＦ）７０は２ｋＨｚ以下の周波数帯域のみを通過させることが好ましい。
【００６４】
この実施例のディジタルカメラ１０では光磁気ディスク３６に記録信号を記録するシーク動作時に音声信号の信号レベルを減衰させるとともに、シーク騒音の周波数帯域をカットする。したがって、光磁気ディスク３６に記録される音声信号に含まれるシーク騒音がより目立たなくなる。
【００６５】
なお、フィルタ回路７０は、低域通過フィルタに限らず帯域阻止フィルタ（ＢＥＦ）によって構成してもよい。このとき、フィルタ回路７０は６ｋＨｚ〜７ｋＨｚの周波数帯域をカットする。
【００６６】
［実施例３］
音声信号に含まれる騒音は、本来記録すべき音声信号のレベルが低いときにより顕著となる。そのため、実施例３のディジタルカメラ１０では、シーク動作時であって、かつ音声信号のレベルが低いときにのみ音声信号処理回路３２から出力される音声信号を修正信号に切り替える。なお、音声信号のレベルが低いときとは、音声信号のレベルが所定の閾値よりも一定の期間（時間間隔「Ｔ」とする）低いときを指す。
【００６７】
実施例３のディジタルカメラ１０の構成は、音声信号処理回路３２の構成を除いて実施例２のディジタルカメラ１０の構成と同じである。音声信号処理回路３２は具体的には、図３（Ａ）に示すように構成されている。図３（Ａ）の音声信号処理回路３２は、音声信号処理回路６６の出力がマイコン５６に与えられる点が実施例２（図２（Ｂ））の音声信号処理回路３２と異なる（音声信号処理回路３２にはアンプ６８およびフィルタ回路７２が含まれるが、フィルタ回路７２の機能はＬＰＦもしくはＢＥＦである）。マイコン５６は信号処理回路６６から得られる音声信号に基づいて、音声信号処理回路３２の出力の切り替え（通常信号および修正信号）を判断し、その判断結果をスイッチ７０に与える。
【００６８】
実施例３のディジタルカメラ１０におけるマイコン５６は、図６から図８のフロー図に示す処理を実行する。図６および図７のフロー図は、ディスク駆動系の記録信号の記録に関する処理（以下、「メインルーチン」と呼ぶ）であり、図８のフロー図は、音声信号処理回路３２からの出力される音声信号の切り替えの判定に関する処理（以下、「切替判定ルーチン」と呼ぶ）である。なお、メインルーチン（図６および図７）と切替判定ルーチン（図８）とはマイコン５６によって独立並行して実行される。
【００６９】
図６および図７に示すメインルーチンの処理は、音声信号回路３２から出力される音声信号を切り替える判定部分（図６のステップＳ７１）が追加されている点を除いて実施例１の図４および図５に示した処理とほぼ同じである。そのため、図８の切替判定ルーチンを主に説明する。
【００７０】
マイコン５６は、まずステップＳ１０１で切替フラグをオフ状態にし、ステップＳ１０３でタイマフラグをオフ状態にする。ここで、切替フラグは、音声信号回路３２の出力を通常信号から修正信号に切り替えるかどうかの判定結果を保持するためのフラグである。タイマフラグは、信号処理回路６６の出力が所定の条件を満たしている時間をカウントするタイマがスタートしているか否かの状態を保持するためのフラグである。
【００７１】
つぎに、マイコン５６は信号処理回路６６から時間ΔＴに相当する音声信号（以下、「単位信号」と呼ぶ）をステップＳ１０５で取得し、取得した単位信号の信号レベルが閾値以下であるかどうかをステップＳ１０７で判断する。ここで、閾値とはたとえばマイク３０の最大レンジの１０分の１程度の値である。以下、この閾値を「Ｍ1」と表記する。また、時間ΔＴはマイコン５６で扱える最小の信号に相当する時間であるとする。
【００７２】
単位信号の信号レベルがＭ1よりも高いときには、ステップＳ１２１でタイマフラグがオン状態であるかどうかを判断する。このときタイマフラグはオフ状態であるからステップＳ１０５に戻り、次の単位信号を信号処理回路６６から取得する。
【００７３】
一方、ステップＳ１０７において単位信号の信号レベルがＭ1以下であると判断すると、ステップＳ１０９でタイマフラグがオン状態であるかどうかを判断する。現在、タイマフラグはオフ状態であるから、ステップＳ１１１でタイマフラグをオン状態にし、ステップＳ１１３でタイマ（アップカウンタ）をスタートさせる（図１４（Ａ）および（Ｂ）のｔ1）。フロー図には示さないが、マイコン５６はタイマをスタートさせた後、タイマのカウントを行っている。
【００７４】
つぎに、ステップＳ１１５で切替フラグがオン状態であるかどうかを判断する。切替フラグはオン状態でないから、ステップＳ１１７でタイマの示す値が「Ｔthre」（threshold）以上であるかどうかを判断する。ここで、値Ｔthreは閾値としての時間であり２〜３の数秒程度である。タイマの示す値がＴthreよりも小さいときには、ステップＳ１１９での切替フラグの設定をスキップしてステップＳ１０５に戻り、再び次の単位信号を取得する。そして取得した単位信号がステップＳ１０７でＭ1よりも大きいと判断すると、ステップＳ１２１でタイマフラグがオン状態であるかどうかを判断する。タイマフラグがオン状態であるときには、ステップＳ１２３でタイマをリセットし、さらにステップＳ１２５でタイマフラグをオフ状態にする（図１４（Ａ）のｔ2）。そしてステップＳ１２７で切替フラグがオン状態であるかどうかを判断する。このとき、切替フラグはオフ状態であるからステップＳ１２９の切替フラグのクリアをスキップしてステップＳ１０５に戻る。
【００７５】
一方、ステップＳ１１７でタイマの示す値がＴthre以上であると判断すると、ステップＳ１１９で切替フラグをオン状態にして（図１４（Ｂ）のｔ2）ステップＳ１０５に戻る。一旦切替フラグがオン状態になると、ステップＳ１０５において新たに取得した単位信号の値が、ステップＳ１０７で再び閾値Ｍ1より大きいと判断されるまで切替フラグはオン状態のままとなる。
【００７６】
そして、ステップＳ１０７で単位信号の値がＭ1より大きいと判断すると、ステップＳ１２１でタイマフラグがオン状態であるかどうかを判断する。図１４（Ｂ）のｔ3においては、タイマフラグがオン状態であるからステップＳ１２３でタイマをリセットし、ステップＳ１２５でタイマフラグをオフ状態にする。さらに、ステップＳ１２７で切替フラグがオン状態であるかどうかを判断する。同じく図１４（Ｂ）のｔ3においては、切替フラグがオン状態であるからステップＳ１２９で切替フラグをオフ状態にしてステップＳ１０５に戻る。以下同様にして、切替判定ルーチンでは信号処理回路６６から出力される音声信号の信号レベルに応じて切替フラグのオン状態とオフ状態との設定が繰り返される。
【００７７】
メインルーチン（図６および図７）の処理では、切替判定ルーチンでの判定結果（切替フラグの値）に基づいて音声信号処理回路３２からの出力を切り替える。具体的には、図６のステップＳ６９でバッファメモリ２２に蓄積されている記録信号の容量が閾値以上であると判断するとき、またはステップＳ７１でシャッタボタン２８ｂがオフ状態であると判断するとき、ステップＳ７３で切替フラグがオン状態であるかどうかを判断する。そして、切替フラグがオン状態であればステップＳ７５でマイコン５６は切替制御信号を音声信号処理回路３２に含まれるスイッチ７０（図３（Ａ）参照）に与え、音声信号処理回路３２の出力を修正信号に切り替える。一方、切替フラグがオフ状態であればステップＳ７５での信号切替をスキップして以降の処理を実行する。
【００７８】
このように実施例３のディジタルカメラ１０では、信号処理回路６６から出力される音声信号を常にモニタする。そして、音声信号のレベルが一定時間一定レベル以下であるかどうかを判断し、その判断結果に基づいて切替フラグのオン／オフ状態の設定を行う。こうして判断された切替フラグに設定されている値をシーク動作時にのみ参照し、切替フラグの状態がオン状態であれば音声信号処理回路３２から出力される値を修正信号に切り替える。したがって、シーク動作時でかつ、音声信号のレベルが低いとき、つまりシーク騒音の影響が強くなり音声信号の修正が必要なときにのみ音声信号を修正信号に切り替える。
【００７９】
なお、音声信号処理回路３２から出力される音声信号を切り替えるか否かの判定方法（切替フラグをオン状態とする条件）は、上述のように音声信号の信号レベルが所定の時間（Ｔthre）以上に渡って所定の閾値（Ｍ1）以下であるか否かに基づくものに限らず、種々の方法に基づいて判断してもよい。たとえば、所定の時間間隔（Ｔ）に相当する音声信号の平均信号レベルが所定の閾値以下であるかどうかに基づいて決定するようにしてもよい。
【００８０】
このとき、マイコン５６は図８のフロー図に示す切替判定ルーチンに替えて図９のフロー図に示す切替判定ルーチンを実行する。つまり、切替フラグ設定の処理方法のみが上述の実施例（実施例３）と異なり、図６および図７のフロー図に示す処理は共通である。したがって、切替フラグの設定を行う切替判定ルーチンについてのみ説明する。
【００８１】
まず、図９のステップＳ１３１で切替フラグをオフ状態にして初期化する。つぎに、マイコン５６はステップＳ１３３で時間間隔Ｔに相当する音声信号を信号処理回路６６からＤＲＡＭ５８に取り込み、ステップＳ１３５でＤＲＡＭ５８に取り込んだ時間間隔「Ｔ」相当の音声信号の平均信号レベルを算出する。なお、時間間隔Ｔの値は閾値Ｔthreの値と同じでもよい。そして、ステップＳ１３７で平均信号レベルが所定の閾値以下であるかどうかを判断する。ここで、所定の閾値とは、たとえばマイク３０の出力レンジの２０分の１程度である。この閾値を以下、「Ｍ2」と表記する。
【００８２】
平均信号レベルが閾値Ｍ2以下であると判断すると、ステップＳ１３９で切替フラグをオン状態に設定する。そして、ステップＳ１４１で信号処理回路６６から時間ΔＴに相当する音声信号（単位信号）を取得して、ステップＳ１３５に戻り再び音声信号の平均信号レベルを算出する。なお、ここで音声信号の平均レベルの算出に用いる音声信号は、ステップＳ１４１で新たに取り込んだΔＴの音声信号を含む時間間隔Ｔに相当する音声信号である。したがって、２度目のステップＳ１３５では、時間ΔＴ〜時間Ｔ＋ΔＴに相当する音声信号の平均信号レベルが算出される。
【００８３】
一方、ステップＳ１３７で平均信号レベルが閾値Ｍ2より高いと判断すると、ステップＳ１４３で切替フラグをオフ状態（オフ状態の場合にも切替フラグをオフ状態に設定する）に設定し、ステップＳ１４１で時間ΔＴに相当する音声信号（単位信号）を取得して、ステップＳ１３７に戻って再び音声信号の平均信号レベルを算出する。
【００８４】
このように、図９のフロー図に示す切替判定ルーチンではΔＴずつ更新した時間間隔Ｔに相当する音声信号の平均信号レベルを順次算出し、その算出結果がＭ2以下であるときに音声信号の切替フラグをオン状態に設定する。
【００８５】
図６および図７のフロー図に示すメインルーチンでは、シーク動作（スレッド動作）時にのみ、図６のステップＳ７３で切替フラグに設定されている値を参照する。そして、切替フラグがオン状態であるときにはステップＳ７５で音声信号処理回路３２から出力される音声信号を修正信号に切り替える。ステップＳ８３でスレッド駆動回路をオフ状態にしてシーク動作が終了すると、ステップＳ８５で音声信号を通常信号に切り替える。
【００８６】
このように図９のフロー図に示す切替判定ルーチンを実行するディジタルカメラ１０では、通常信号と修正信号との切替を信号レベルの平均に基づいて決定するので、図８のフロー図に示す切替判定ルーチンを実行するディジタルカメラ１０よりも、より安定でかつ適切に音声信号の出力の切り替えを行うことができる。なお、信号レベルの平均を算出する方法としては加重平均を用いてもよい。
【００８７】
以上説明したように実施例３のディジタルカメラ１０では、マイク３０から出力される音声信号を常にモニタし、シーク動作時でかつ一定期間の音声信号の平均信号レベルが所定の閾値よりも低いときにのみ、記録する音声信号の信号レベルを減衰させるとともに、シーク騒音の周波数に対応する周波数帯域をカットする。したがって、音声信号レベルが低くなってシーク騒音の影響が大きいときにのみ音声信号を修正するので、音声信号に含まれる情報を必要以上に除去する恐れがない。
【００８８】
なお、実施例３における上述の音声信号処理回路３２はアンプ６８およびフィルタ回路７２の両方を含む構成としたが、音声信号処理回路３２はアンプ６８もしくはフィルタ回路７２のどちらかを含む構成であってもよい。また、フィルタ回路７２は低域通過フィルタもしくは帯域阻止フィルタのどちらで構成してもよい。
【００８９】
［実施例４］
実施例４のディジタルカメラ１０は、マイク３０から出力される音声信号の信号レベルに応じて音声信号の修正の度合いを変更する。実施例４のディジタルカメラ１０は、音声信号処理回路３２の構成のみが実施例３のディジタルカメラ１０と異なっている。その他の構成は実施例３のディジタルカメラ１０と同様である。実施例４の音声信号処理回路３２は、具体的には図３（Ｂ）に示すように構成されている。この実施例の音声信号処理回路３２は図３（Ｂ）に示すように、スイッチ７０だけでなく、アンプ６８およびフィルタ回路７２もマイコン５６からの制御信号によって制御される。マイコン５６は信号処理回路６６の出力レベル（音声信号レベル）に基づいてアンプ６８の減衰率（係数ｋの値）およびフィルタ回路７２（ＬＰＦ）のカットオフ周波数を変更する。その他の点については実施例３のディジタルカメラ１０と同じである。
【００９０】
実施例４のディジタルカメラ１０におけるマイコン５６は、図１０から図１２のフロー図に示す処理を実行する。図１０および図１１のフロー図は、ディスク駆動系の記録信号の記録に関する処理（メインルーチン）であり。図１２のフロー図は、音声信号処理回路３２からの出力される音声信号の切り替えの判定に関する処理（切替判定ルーチン）である。なお、メインルーチン（図１０および図１１）と切替判定ルーチン（図１２）とはマイコン５６によって独立並行して実行される。
【００９１】
メインルーチン（図１０および図１１）の処理は、切替フラグがオン状態であると判断したときに、切替判定ルーチンで設定されているカットオフ周波数（fc）および減衰率（k）の値をアンプ６８およびフィルタ回路７２に設定する点を除いて図６および図７のフロー図に示すメインルーチンの処理と同じである。したがって、図１２の切替判定ルーチンを主に説明する。
【００９２】
まず、ステップＳ２０１で切替フラグをオフ状態にして初期化する。つぎに、マイコン５６はステップＳ２０３で信号処理回路６６（図３（Ｂ）参照）から時間間隔Ｔに相当する音声信号を取得してＤＲＡＭ５８に取り込み、ステップＳ２０５でＤＲＡＭ５８に取り込んだ時間間隔Ｔ相当の音声信号の平均信号レベルを算出する。このとき算出した平均信号レベルの値を「Aave」と表記する。そして、ステップＳ２０７で平均信号レベルが所定の閾値以下であるかどうかを判断する。ここで、所定の閾値とは、実施例３と同様の値であるＭ2とする。
【００９３】
平均信号レベルが閾値Ｍ2以下であると判断すると、ステップＳ２０９でアンプ６８の減衰率ｋ（係数ｋ）の値を決定する。係数ｋの値は、図１５（Ａ）に示すような所定の規則に基づいて決定される。図１５（Ａ）に示すように、係数ｋの値はステップＳ２０５で算出した信号レベルの平均値Aaveの関数によって与えられる。図１５（Ａ）に示すように、Aaveの値が高くなるに連れて係数ｋの値も次第に増大し、Aaveの値が一定以上となると係数ｋの値は一定値「１」となる。したがって、Aaveの値が大きくなると減衰率は小さくなる。なお、図１５（Ａ）のグラフでは、係数ｋの値は「０」以上の値となっているが、「０」を含むようにしてもよい。また、図１５（Ａ）に示す関数は直線的に変化するが、曲線的に変化する関数であってもよく、ディジタルカメラ１０の信号処理系の特性に合わせて決定することが望ましい。
【００９４】
つぎに、ステップＳ２１１でフィルタ回路（ＬＰＦ）７２のカットオフ周波数（fc）の値を決定する。カットオフ周波数（fc）の値も、図１５（Ｂ）に示すような所定の規則に基づいて決定される。図１５（Ｂ）に示すように、カットオフ周波数（fc）の値はステップＳ２０５で算出した信号レベルの平均値Aaveの関数によって与えられる。図１５（Ｂ）に示すように、カットオフ周波数（fc）は周波数「ｆＬ」から周波数「ｆＨ」の範囲の値であり、Aaveの値が高くなるに連れてカットオフ周波数の値も次第に増大する。ただし、Aaveの値が一定以上となると、カットオフ周波数の値は一定値「ｆＨ」となる。なお、図１５（Ｂ）に示す関数は直線的に変化する関数であるが、カットオフ周波数を決定するための関数は曲線的なものでもよく、ディジタルカメラ１０の信号処理系の特性に合わせて決定することが望ましい。
【００９５】
そして、係数ｋの値およびカットオフ周波数の値が決定すると、ステップＳ２１３で切替フラグをオン状態に設定する。
【００９６】
ステップＳ２１５でマイコン５６は、信号処理回路６６から時間ΔＴに相当する音声信号（単位信号）を取得して、ステップＳ２０５に戻る。ステップＳ２０５では再び時間間隔Ｔに相当する音声信号の平均信号レベルを算出する。ここで平均信号レベルAaveの算出に用いる音声信号は、ステップＳ２１５で新たに取り込んだΔＴの音声信号を含む時間間隔Ｔに相当する音声信号である。したがって、２度目のステップＳ２０５では、時間ΔＴ〜時間Ｔ＋ΔＴに相当する音声信号に基づいて平均信号レベルAaveの値が算出される。
【００９７】
一方、ステップＳ２０７で平均信号レベルAaveの値が閾値Ｍ2より高いと判断すると、ステップＳ２１７で切替フラグをオフ状態（オフ状態の場合にも切替フラグをオフ状態に設定する）に設定し、ステップＳ２１５で時間ΔＴに相当する音声信号（単位信号）を取得し、ステップＳ２０５に戻って再び音声信号の平均信号レベルを算出する。
【００９８】
このように、実施例４の「切替判定ルーチン」は、マイク３０から出力される音声信号を常にモニタして、時間間隔Ｔに相当する音声信号から平均信号レベルAaveを算出する。そして、平均信号レベルに応じて音声信号処理回路３２の出力切替の判定うとともに、平均信号レベルAave値に応じてアンプ６８の減衰率ｋ（係数ｋ）およびフィルタ回路（ＬＰＦ）７２のカットオフ周波数（fc）の値を決定する。
【００９９】
そして、図１０および図１１に示すメインルーチンの処理では、図１１のステップＳ１７３で切替フラグがオン状態であるかどうかを判断する。切替フラグがオン状態のときには、マイコン５６はステップＳ１７５で制御信号をアンプ６８に与え、減衰率が「切替判定ルーチン」で決定された係数ｋ倍となるように設定する。また、マイコン５６はステップＳ１７７で制御信号をフィルタ回路７２に与え、カットオフ周波数が「切替判定ルーチン」で決定された（fc）となるように設定する。
【０１００】
アンプ６８の減衰率の設定およびフィルタ回路７２のカットオフ周波数の設定が終了すると、マイコン５６はステップＳ１７９で切替制御信号をスイッチ７０に与えて、音声信号処理回路３２の出力を修正信号に切り替える。
【０１０１】
そして、ステップＳ１８７でスレッド制御をオフ状態にしてシーク動作（スレッド動作）が終了すると、マイコン５６はステップＳ１８９で制御信号をスイッチ７０に与えて音声信号処理回路３２の出力を通常信号に切り替える。
【０１０２】
このように、実施例４ではマイク３０から得られる音声信号の平均信号レベルAaveを算出し、その算出結果に応じて切替フラグの状態，アンプ６８の減衰率ｋ（係数ｋ）の値およびフィルタ回路（ＬＰＦ）７２のカットオフ周波数（fc）の値をそれぞれ決定する。そして、シーク動作時には切替フラグを参照し、切替フラグの状態が音声信号処理回路３２の出力の切替を示しているときには、アンプ６８の減衰率（係数ｋ）の値およびフィルタ回路（ＬＰＦ）７２の値を変更する。
【０１０３】
したがって、実施例４のディジタルカメラ１０によれば、音声信号の信号レベルが低下してシーク騒音の影響が大きくなるときにだけ音声信号処理回路３２から出力される音声信号を修正信号に切り替えて音声信号に含まれる情報が必要以上に削除されることを防ぐばかりでなく、より適切な修正信号を生成することができる。
【０１０４】
なお、実施例４における上述の音声信号処理回路３２はアンプ６８およびフィルタ回路７２の両方を含むこととしたが、音声信号処理回路３２はアンプ６８もしくはフィルタ回路７２のどちらかを含む構成であってもよく、この場合マイコン５６はアンプ６８の減衰率もしくはフィルタ回路７２のカットオフ周波数のどちらかを制御する。また、フィルタ回路７２は低域通過フィルタもしくは帯域阻止フィルタのどちらで構成してもよい。
【図面の簡単な説明】
【図１】この発明の一実施例の全体構成を示すブロック図である。
【図２】図１における音声信号処理回路の内部構成の例を示すグロック図である。
【図３】図１における音声信号処理回路の内部構成のその他の例を示すブロック図である。
【図４】図１に示すマイコンの実施例１および実施例２における処理の一部を示すフロー図である。
【図５】図１に示すマイコンの実施例１および実施例２における処理のその他の一部を示すフロー図である。
【図６】図１に示すマイコンの実施例３における処理の一部を示すフロー図である。
【図７】図１に示すマイコンの実施例３における処理のその他の一部を示すフロー図である。
【図８】図１に示すマイコンの実施例３における処理のその他の一部を示すフロー図である。
【図９】図１に示すマイコンの実施例３における処理のその他の一部を示すフロー図である。
【図１０】図１に示すマイコンの実施例４における処理の一部を示すフロー図である。
【図１１】図１に示すマイコンの実施例４における処理のその他の一部を示すフロー図である。
【図１２】図１に示すマイコンの実施例４における処理のその他の一部を示すフロー図である。
【図１３】光磁気ディスクの空き領域テーブルの一例を示す図解図である。
【図１４】音声信号処理回路の出力を切り替える方法の一例を示す図解図である。
【図１５】アンプの増幅率およびフィルタ回路のカットオフ周波数を決定する方法の一例を示す図解図である。
【図１６】光磁気ディスクに離散的に分布する空き領域の一例を示す図解図である。
【図１７】光磁気ディスクに照射されるレーザ光とその反射光を検出する光検出器（受光素子）との関係を示す図解図である。
【図１８】理想状態においてメインビームが受光素子に形成するスポットを示す図解図である。
【図１９】図１の実施例においてシーク動作時にメインビームが受光素子に形成するスポットを示す図解図である。
【符号の説明】
１０  …ディジタルカメラ
１４  …ＣＣＤイメージャ
２２  …バッファメモリ
２６  …システムコントローラ
２８ａ  …モード切替ボタン
２８ｂ  …シャッタボタン
３０  …マイク
３２  音声信号処理回路
５６  …マイコン
５８  …ＤＲＡＭ（Dynamic random access memory）
６６  …信号処理回路
６８  …アンプ
７０  …スイッチ
７２  …フィルタ回路（ＬＰＦ／ＢＥＦ）
【図１】
0003819687.tif 000002
【図２】
0003819687.tif 000003
【図３】
0003819687.tif 000004
【図４】
0003819687.tif 000005
【図５】
0003819687.tif 000006
【図６】
0003819687.tif 000007
【図７】
0003819687.tif 000008
【図８】
0003819687.tif 000009
【図９】
0003819687.tif 000010
【図１０】
0003819687.tif 000011
【図１１】
0003819687.tif 000012
【図１２】
0003819687.tif 000013
【図１３】
0003819687.tif 000014
【図１４】
0003819687.tif 000015
【図１５】
0003819687.tif 000016
【図１６】
0003819687.tif 000017
【図１７】
0003819687.tif 000018
【図１８】
0003819687.tif 000019
【図１９】
0003819687.tif 000020